(57)【要約】  無線通信ネットワークにおけるユーザ機器（ＵＥ）によるシステム情報（ＳＩ）取得のための方法が開示される。前記ＳＩはミニマムＳＩおよびその他のＳＩとを備える。前記方法は、基地局からエリア識別子（ＩＤ）を有する前記ミニマムＳＩを受信する工程と、前記エリアＩＤが前記ＵＥに格納されるエリアＩＤと異なる場合、前記基地局からのその他のＳＩをリクエストする工程と、を含み、前記エリアＩＤは、前記無線通信ネットワークにおける少なくとも２つのセルへ割り当てられている。前記方法はまた、前記ミニマムＳＩにおけるバリュータグが前記ＵＥに格納されるバリュータグと異なる場合、前記基地局からのその他のＳＩの更新されるパラメータの少なくとも１つをリクエストする工程を含む。
2019532602.tif 000002
【特許請求の範囲】
【請求項１】
無線通信ネットワークにおけるユーザ機器（ＵＥ）によるシステム情報（ＳＩ）取得のための方法であって、前記ＳＩはミニマムＳＩおよび少なくとも１つのその他のＳＩブロックを備え、前記方法は、
基地局から、エリア識別子（ＩＤ）を有する前記ミニマムＳＩを受信する工程と、
前記エリアＩＤが前記ＵＥに格納されるエリアＩＤと異なる場合、前記基地局からの少なくとも１つのその他のＳＩブロックをリクエストする工程と、を備え、
前記エリアＩＤは、前記無線通信ネットワークにおける少なくとも２つのセルへ割り当てられている方法。
【請求項２】
前記エリアＩＤが前記格納されるエリアＩＤと異なる場合、前記基地局からの少なくとも１つのその他のＳＩブロックを受信する工程をさらに備える、請求項１に記載の方法。
【請求項３】
前記ミニマムＳＩにおけるバリュータグが前記ＵＥに格納されるバリュータグと異なる場合、前記基地局からの前記少なくとも１つのその他のＳＩブロックの少なくとも１つの更新されるパラメータをリクエストする工程をさらに備える、請求項１に記載の方法。
【請求項４】
前記エリアＩＤが前記格納されるエリアＩＤと同一の場合、前記基地局からの前記少なくとも１つのその他のＳＩブロックの前記更新されるパラメータを受信する工程をさらに備え、前記バリュータグは前記ＵＥに格納される前記バリュータグと異なる、請求項３に記載の方法。
【請求項５】
前記ミニマムＳＩは情報フィールドを含み、前記情報フィールドは、前記エリアＩＤおよびバリュータグの少なくとも１つを含む、請求項１に記載の方法。
【請求項６】
前記情報フィールドは前記エリアＩＤのみを含み、前記バリュータグは要求に応じ前記ＳＩブロックの少なくとも１つにおいて前記ＵＥへ提供される、請求項５に記載の方法。
【請求項７】
前記少なくとも２つのセルは、同一のコンテンツを有している前記少なくとも１つのその他のＳＩブロックを共有し、前記ＵＥは、前記少なくとも２つのセルが同一のエリアＩＤを用いて割り当てられている場合、前記少なくとも２つのセルの一方から前記少なくとも２つのセルの他方へと移動するとき、前記少なくとも１つのその他のＳＩブロックをリクエストする必要が無い、請求項１に記載の方法。
【請求項８】
前記少なくとも２つのセルは、異なるコンテンツを有している自身のミニマムＳＩを各々ブロードキャストする、請求項１に記載の方法。
【請求項９】
前記バリュータグは、前記少なくとも１つのその他のＳＩブロックのバージョンを含む、請求項１に記載の方法。
【請求項１０】
前記ＵＥは、前記エリアＩＤが前記格納されるエリアＩＤと異なること、またはバリュータグが格納されるバリュータグと異なることを識別し、前記ＵＥは、前記少なくとも１つのその他のＳＩブロックを要求するように前記基地局へ特定のプリアンブルを送信するように構成される、請求項１に記載の方法。
【請求項１１】
前記基地局が特定のプリアンブルを受信する場合、専用のリソースで前記基地局からの前記少なくとも１つのその他のＳＩブロックを受信する工程をさらに含む、請求項１０に記載の方法。
【請求項１２】
前記ＵＥはＲＲＣがアクティブとなっているＵＥ（ＲＲＣアクティブＵＥ）であり、前記ＲＲＣアクティブＵＥが、前記エリアＩＤは前記格納されるエリアＩＤと異なるか、またはバリュータグは格納されるバリュータグと異なることを識別する場合、前記ＲＲＣアクティブＵＥは、前記少なくとも１つのその他のＳＩブロックを要求するように前記基地局へＲＲＣメッセージを送信するように構成される、請求項１に記載の方法。
【請求項１３】
前記基地局が前記ＲＲＣメッセージを受信する場合、前記基地局からの前記少なくとも１つのその他のＳＩブロックを受信する工程をさらに含む、請求項１２に記載の方法。
【請求項１４】
無線通信ネットワークにおける無線通信のためのユーザ機器（ＵＥ）であって、前記ＵＥは、
自機器に実装され、コンピュータ実行可能な命令を有する非一時的なコンピュータ読み取り可能な、１つ以上の記録媒体と、
前記１つ以上の非一時的なコンピュータ読み取り可能な記録媒体と連結されるプロセッサであって、前記コンピュータに実行可能な以下の、
基地局から、エリア識別子（ＩＤ）を有するシステム情報（ＳＩ）を受信し、
前記エリアＩＤが前記ＵＥに格納されるエリアＩＤと異なる場合、前記基地局からの少なくとも１つのその他のＳＩブロックをリクエストする、
命令を実行するように構成される少なくとも１つのプロセッサと、を備え、
前記エリアＩＤは、前記無線通信ネットワークにおける少なくとも２つのセルへ割り当てられているＵＥ。
【請求項１５】
前記少なくとも１つのプロセッサは、前記１つ以上の非一時的なコンピュータ読み取り可能な記録媒体と連結され、
前記エリアＩＤが前記格納されるエリアＩＤと異なる場合、前記基地局から前記少なくとも１つのその他のＳＩブロックを受信する前記コンピュータ実行可能な命令を実行するように構成される、請求項１４に記載のＵＥ。
【請求項１６】
前記少なくとも１つのプロセッサは、前記１つ以上の非一時的なコンピュータ読み取り可能な記録媒体と連結され、
前記ミニマムＳＩにおけるバリュータグが前記ＵＥに格納されるバリュータグと異なる場合、前記基地局からの前記少なくとも１つのその他のＳＩブロックの少なくとも１つの更新されるパラメータをリクエストする前記コンピュータ実行可能な命令を実行するように構成される、請求項１４に記載のＵＥ。
【請求項１７】
前記少なくとも１つのプロセッサは、前記１つ以上の非一時的なコンピュータ読み取り可能な記録媒体と連結され、
前記エリアＩＤが前記格納されるエリアＩＤと同一である場合、および前記バリュータグが前記ＵＥ上の前記格納されるバリュータグと異なる場合、前記基地局からの前記少なくとも１つのその他のＳＩブロックの前記更新されるパラメータを受信する前記コンピュータ実行可能な命令を実行するように構成される、請求項１６に記載のＵＥ。
【請求項１８】
前記少なくとも２つのセルは、同一のコンテンツを有している前記少なくとも１つのその他のＳＩブロックを共有し、前記ＵＥは、前記少なくとも２つのセルが同一のエリアＩＤを用いて割り当てられている場合、前記少なくとも２つのセルの一方から前記少なくとも２つのセルの他方へと移動するとき、前記少なくとも１つのその他のＳＩブロックをリクエストする必要が無い、請求項１４に記載のＵＥ。
【請求項１９】
前記少なくとも２つのセルは、異なるコンテンツを有している自身のミニマムＳＩを各々ブロードキャストする、請求項１４に記載のＵＥ。
【請求項２０】
前記ＵＥが、前記エリアＩＤは前記格納されるエリアＩＤと異なること、またはバリュータグが格納されるバリュータグと異なることを識別する場合、前記少なくとも１つのその他のＳＩブロックを要求するように前記基地局へ特定のプリアンブルを送信するように構成される、請求項１４に記載のＵＥ。
【請求項２１】
前記少なくとも１つのプロセッサは、前記少なくとも１つの非一時的なコンピュータ読み取り可能な記録媒体と連結され、前記基地局が前記特定のプリアンブルを受信する場合、専用のリソースで前記基地局からの前記少なくとも１つのその他のＳＩブロックを受信する前記コンピュータ実行可能な命令を実行するように構成される、請求項２０に記載のＵＥ。
【請求項２２】
前記ＵＥはＲＲＣがアクティブとなっているＵＥ（ＲＲＣアクティブＵＥ）であり、前記ＲＲＣアクティブＵＥが、前記エリアＩＤは前記格納されるエリアＩＤと異なるか、またはバリュータグは格納されるバリュータグと異なることを識別する場合、前記ＲＲＣアクティブＵＥは、前記少なくとも１つのその他のＳＩブロックを要求するように前記基地局へＲＲＣメッセージを送信するように構成される、請求項１４に記載のＵＥ。
【請求項２３】
前記少なくとも１つのプロセッサは、前記少なくとも１つの非一時的なコンピュータ読み取り可能な記録媒体と連結され、前記基地局が前記ＲＲＣメッセージを受信する場合、前記基地局からの前記少なくとも１つのその他のＳＩブロックを受信する前記コンピュータ実行可能な命令を実行するように構成される、請求項２２に記載のＵＥ。
【請求項２４】
無線通信ネットワークであって、
第１の複数のセルを有している第１のエリアと、
第２の複数のセルを有している第２のエリアと、を備え、
前記第１の複数のセルおよび前記第２の複数のセルは、それ自身のミニマムシステム情報（ＳＩ）を提供し、
前記第１の複数のセルは前記第１のエリアにおいて共通のその他のＳＩブロックを共有し、前記第２の複数のセルは前記第２のエリアにおいて別の共通のその他のＳＩブロックを共有する、
無線通信ネットワーク。
【請求項２５】
前記ミニマムＳＩは、前記第１の複数のセルおよび前記第２の複数のセルのうちの対応する１つによって周期的にブロードキャストされる、請求項２４に記載の無線通信ネットワーク。
【請求項２６】
前記第１の複数のセルの１つにおける前記共通のその他のＳＩブロック、または前記第２の複数のセルの１つにおける前記別の共通のその他のＳＩブロックは、ユーザ機器（ＵＥ）の要求に応じ送信される、請求項２４に記載の無線通信ネットワーク。
【請求項２７】
前記ミニマムＳＩは情報フィールドを含み、前記情報フィールドはエリアＩＤおよびバリュータグの少なくとも１つを含む、請求項２４に記載の無線通信ネットワーク。
【請求項２８】
前記情報フィールドは前記エリアＩＤのみを含み、前記バリュータグは前記ＵＥの要求に応じその他のＳＩを通じてＵＥへ提供される、請求項２７に記載の無線通信ネットワーク。
【発明の詳細な説明】
【発明の詳細な説明】
【０００１】
〔関連出願の相互参照〕
本出願は、「システム情報配信方法および装置」と題された、２０１６年１０月７日に出願された米国仮特許出願第６２／４０５，３９４号（代理人管理番号ＵＳ６０７１９、以下「ＵＳ６０７１９出願」と称する）に関する。当該ＵＳ６０７１９出願の開示は、参照によってその全体が本出願に組み込まれる。
〔技術分野〕
本出願は、一般に、無線通信に関し、特に、システム情報配信へ適用される。
〔背景技術〕
無線ネットワーク、発展型ユニバーサル無線地上波アクセスネットワーク（Ｅ−ＵＴＲＡＮ）などにおいて、ユーザ機器（ＵＥ）は、アクセス階層（ＡＳ）および非アクセス階層（ＮＡＳ）の種々のパラメータを取得するようなシステム情報（ＳＩ）取得プロシージャを実行する必要が有る。これらのパラメータは、同一のセルにおいて全ての前記ＵＥに対して共通であり、全ての無線技術において伝統的にブロードキャストである。前記ＵＥは、（例えばハンドオーバ後、別のＲＡＴからＥ−ＵＴＲＡに入った後の）システムアクセスおよび（例えばセル選択およびセル再選択、等々）アイドルモードプロシージャなど、種々の目的のため、ＳＩを取得することができる。
【０００２】
伝統的に、システム情報は、マスター情報ブロック（ＭＩＢ）および多数のシステム情報ブロック（ＳＩＢ）へとグループ化され得る。例えば、ロングタームエボリューション（ＬＥＴ）ネットワークにおいて、システム情報は、ＭＩＢおよび複数のＳＩＢ（例えばＳＩＢ２０を通したＳＩＢ１）を含み得る。前記ＭＩＢは、他のシステム情報部分を受信するために要求される、前記セルの最も基本的な物理層情報を定義する。前記ＭＩＢは、システムフレーム番号（ＳＦＮ）、ダウンリンク（ＤＬ）システムバンド幅、および物理ＨＡＲＱインジケータチャンネル（ＰＨＩＣＨ）構成を提供する。それは４０ｍｓごとに送信され得、スケジューリング情報は標準化されている。前記ＳＩＢは、ＳＩＢ各々が輸送する情報の型によって特徴付けられる。例えば、ＳＩＢ１は、ＵＥがアクセスを許可されている、すなわちセル上にキャンプすることを許可され、その他のＳＩＢの前記スケジューリングをさらに定義するか否かを評価するための情報を持っている。ＳＩＢ１はまた、（例えばＰＬＭＮ識別リスト、公衆ランドモバイルネットワーク（ＰＬＭＮ）識別子、セル識別子、セル状態、等々）セルアクセスに関する情報、セル選択情報（ミニマム受信機レベル）、およびスケジューリング情報（ＳＩメッセージ型および周期、ＳＩウィンドウ幅、等々）を含む。ＳＩＢ２は、ランダムアクセスチャンネル（ＲＡＣＨ）、物理ＲＡＣＨ（ＰＲＡＣＨ）、ブロードキャスト制御チャンネル（ＢＣＣＨ）、物理ダウンリンク共有チャンネル（ＰＤＳＣＨ）、物理アップリンク共有チャンネル（ＰＵＳＣＨ）等々を含む、共通のおよび共有のチャンネルについての情報を提供する。ＳＩＢ３から８は、セル再選択に要求される情報を提供する。ＳＩＢ３は、近傍セル情報を除く周波数間セル再選択上の情報を提供する。ＳＩＢ４は、近傍セル情報上の情報を提供する。ＳＩＢ５は、周波数間セル再選択向けである。ＳＩＢ６、ＳＩＢ７、およびＳＩＢ８は、それぞれＵＴＲＡＮ、ＧＥＲＡＮ、およびＣＤＭＡに関するセル（再）選択向けである。
【０００３】
ＵＥは、初期アタッチプロセスの間、システム情報を読み込むことができる。前記ＵＥが新しいセルへキャンプすると、前記関連するＳＩを読み込む。もしいくつかのＳＩ値が変化したなら、前記ネットワークは、前記変化に関して前記ＵＥへ通知するように前記ＵＥをページングすることができる。前記ＵＥは、次の修正サイクルの間に前記ＳＩを読み込むことができる。前記修正サイクルは、前記ＳＩＢ２において信号で伝えられるセル特有のパラメータである。前記ＵＥは、ＳＩＢ修正を指示しているページングを受信すると、全ての前記ＳＩを無効化し、全ての前記ＳＩを再び検索することができる。
【０００４】
次世代無線ネットワークの運用を支持するキー技術として、新型無線（ＮＲ）が、第３世代パートナーシッププロジェクト（３ＧＰＰ）において議論されてきた。ＮＲシステムおよびネットワークにおいて、高速で効率的なＳＩ分配が望ましい。しかしながら、特定のＳＩ分配メカニズムは、包括的には研究されてこなかった。
【０００５】
前述のように従来、各セルは、それらのカバーエリアにおいて前記ＵＥの条件および／または特性を考慮に入れることなしに、無線技術の全てにおいてＳＩをブロードキャストする。そのようなＳＩ配信方法は、望ましくないことに、無線リソースを消費し、運用オーバヘッドを増加させる。
【０００６】
このように、当該技術分野において、ＵＥへＳＩを提供するための効率的なＳＩ配信方法が必要であり、そこでは、前記ＳＩ配信方法は前記ＵＥの条件および／または特性を考慮に入れる。
〔図面の簡単な説明〕
例示的な開示の態様は、添付の図面を参照して読むことによって、最もよく理解される。さまざまな構成は、原寸に比例して描かれておらず、さまざまな構成の寸法は、記載を明確にする目的で、任意で拡大または縮小してもよい。
【０００７】
図１は、本発明の一実施形態に係る無線通信システムの概要を示す。
【０００８】
図２Ａは、本発明の一実施形態に係るＯＳＡＩＤフォーマットを示す。
【０００９】
図２Ｂは、本発明の他の実施形態に係るＯＳＡＩＤフォーマットを示す。
【００１０】
図３は、本発明の一実施形態に係る、ＵＥによって実行されるその他のＳＩ取得のための方法を示すフローチャート図である。
【００１１】
図４は、本発明の一実施形態に係る、ＵＥ指向シグナリングを介してその他のＳＩ取得を行うメカニズムを例示するダイアグラムである。
【００１２】
図５は、本発明の種々の態様に係る、無線通信のためのノードのブロック図を示す。
〔詳細な説明〕
以下の記載は、本出願における実施態様に関する特定情報を含む。本出願における図面およびそれに伴う詳細な記載は、例示的な実施態様を対象としているにすぎない。特に断りのない限り、図の中で同様のまたは対応する要素は、同様のまたは対応する参照番号によって示されてもよい。さらに、本出願における図面および説明は、一般的に原寸に比例しておらず、実際の相対寸法に対応することは意図されていない。
【００１３】
整合性と容易な理解を目的として、同様の構成は、（いくつかの例では図示されないが、）例示的な図における数字によって、同一のものとみなす。しかしながら、異なる実施態様における構成は、他の点で異なっていてもよいため、図示される構成に狭く限定すべきではない。
【００１４】
本記載では、同一のまたは異なる実施態様のうちの１つ以上を指してもよい「１つの実施態様では、」または「いくつかの実施態様では、」という表現を使用する。「結合された（coupled）」という用語は、介入する要素を通じて直接的または間接的に接続されたと定義され、必ずしも物理的接続に限定されない。「含む（comprising）」という用語は、該用語が使用されるとき、「〜を含むが、〜だけに限定されない」を意味し、つまり、オープンエンド形式の包含またはそのような形式で記載された組み合わせ、グループ、系列およびその同等物における構成要素を特に意味する。
【００１５】
さらに、説明と非制限を目的として、例えば機能エンティティ、技術、プロトコル、基準などの具体的詳細は、記載された技術の理解を提供するために示される。他の例では、周知の方法、技術、システム、アーキテクチャなどについての詳細な記載は、不要な詳細によって記載を不明瞭にしないために、省略する。
【００１６】
当業者は、本開示に記載されている任意のネットワーク機能またはアルゴリズムが、ハードウェア、ソフトウェア、またはソフトウェアとハードウェアとの組み合わせによって実行されてもよいことを直ちに理解するだろう。記載された機能は、ソフトウェア、ハードウェア、ファームウェア、またはこれらの任意の組み合わせであり得るモジュールに対応してもよい。ソフトウェアのインプリメンテーションは、例えばメモリまたは他の種類の記憶装置などのコンピュータ読み取り可能な媒体に記憶されたコンピュータ実行可能命令を含んでもよい。例えば、通信処理能力を有する１つ以上のマイクロプロセッサまたは汎用コンピュータは、対応する実行可能命令でプログラム化され、記載されているネットワーク機能またはアルゴリズムを実行してもよい。上記マイクロプロセッサまたは汎用コンピュータは、特定用途向け集積回路（ＡＳＩＣ）、プログラマブルロジックアレイでできていてもよい、および／または、１つ以上のデジタルシグナルプロセッサ（ＤＳＰ）を用いてもよい。本明細書に記載されている例示的な実施態様のうちのいくつかがコンピュータハードウェアにインストールされ、該ハードウェア上で実行されるソフトウェアを対象としているが、ファームウェアとして、あるいは、ハードウェアまたはハードウェアとソフトウェアとの組み合わせとして実行される代替の例示的な実施態様は十分、本開示の範囲内である。
【００１７】
上記コンピュータ読み取り可能な媒体の例としては、ランダムアクセスメモリ（ＲＡＭ）、読み取り専用メモリ（ＲＯＭ）、消去可能プログラム可能読み取り専用メモリ（ＥＰＲＯＭ）、電気的消去可能プログラム可能読み取り専用メモリ（ＥＥＰＲＯＭ（登録商標）、登録商標）、フラッシュメモリ、コンパクトディスク読み取り専用メモリ（ＣＤ−ＲＯＭ）、磁気カセット、磁気テープ、磁気ディスク記憶装置、またはコンピュータ読み取り可能な命令を記憶することが可能な任意の他の同等の媒体が挙げられるが、これらに限定されない。
【００１８】
無線通信ネットワークアーキテクチャ（例えば、ロングタームエボリューション（ＬＴＥ）システム、ＬＴＥアドバンスト（ＬＴＥ−Ａ）システム、またはＬＴＥアドバンストＰｒｏシステム）は、少なくとも１つの基地局、少なくとも１つのユーザ装置（ＵＥ）、およびネットワークへの接続を提供する１つ以上の任意のネットワーク要素を典型的に含む。上記ＵＥは、上記ネットワーク（例えば、コアネットワーク（ＣＮ）、進化型パケットコア（ＥＰＣ）ネットワーク、発展型ユニバーサル無線地上波アクセス（Ｅ−ＵＴＲＡＮ）ネットワーク、次世代コア（ＮＧＣ）、またはインターネット）と、上記基地局によって確立された無線アクセスネットワーク（ＲＡＮ）を通じて、通信する。
【００１９】
本出願において、ＵＥとしては、移動局、携帯端末または携帯機器、ユーザ通信無線端末が挙げられるが、これらに限定されないことに留意されたい。例えば、ＵＥは、携帯無線装置であってもよく、該携帯無線装置としては、無線通信能力を有する携帯電話、タブレット、ウェアラブルデバイス、センサ、または個人用デジタル補助装置（ＰＤＡ）が挙げられるが、これらに限定されない。上記ＵＥは、無線アクセスネットワークにおける１つ以上のセルと、電波インターフェース上で、信号を送受信するよう構成されている。
【００２０】
基地局としては、ＬＴＥにおいて見られるようなノードＢ（ＮＢ）、ＬＴＥ−Ａにおいて見られるような進化型ノードＢ（ｅＮＢ）、ＵＭＴＳにおいて見られるような無線ネットワークコントローラ（ＲＮＣ）、ＧＳＭ（登録商標）／ＧＥＲＡＮにおいて見られるような基地局コントローラ（ＢＳＣ）、ＮＲにおいて見られるような新しい無線進化型ノードＢ（ＮＲ  ｅＮＢ）、ＮＲにおいて見られるような次世代ノードＢ（ｇＮＢ）、および無線通信を制御し、セル内の無線リソースを管理することが可能な任意の他の装置が挙げられるが、これらに限定されない。上記基地局は、１つ以上のＵＥに対応するために、無線インターフェースを通じてネットワークに接続してもよい。
【００２１】
基地局は、以下の無線アクセス技術（ＲＡＴ）のうちの少なくとも１つに従って、通信サービスを提供するよう構成されている。上記無線アクセス技術（ＲＡＴ）としては、マイクロ波アクセスのための世界相互運用性（ＷｉＭＡＸ）、グローバルモバイル通信システム（ＧＳＭ（登録商標）、２Ｇと称されることが多い）、ＧＳＭ  ＥＤＧＥ無線アクセスネットワーク（ＧＥＲＡＮ）、汎用パケット無線システム（ＧＲＰＳ）、基本広帯域符号分割多元接続（Ｗ−ＣＤＭＡ）に基づいたユニバーサル・モバイル・テレコミュニケーション・システム（ＵＭＴＳ、３Ｇと称されることが多い）、高速パケットアクセスシステム（ＨＳＰＡ）、ＬＴＥ、ＬＴＥ−Ａ、新しい無線（ＮＲ、５Ｇと称されることが多い）および／またはＬＴＥ−Ａ  Ｐｒｏが挙げられる。しかしながら、本出願の範囲は、上記のプロトコルに限定すべきではない。
【００２２】
上記基地局は、無線アクセスネットワークを形成する複数のセルを用いて、特定の地理的エリアに無線カバレッジを提供するよう機能する。上記基地局は、上記セルのオペレーションをサポートする。各セルは、無線カバレッジ内の少なくとも１つのＵＥにサービスを提供するよう機能する。より具体的には、各セル（サービングセルと称されることが多い）は、そのセルカバレッジ内の１つ以上のＵＥに対応するためにサービスを提供する（例えば、各セルは、その無線カバレッジ内の少なくとも１つのＵＥに対して、ダウンリンクおよび任意でアップリンクリソースを、ダウンリンクおよび任意でアップリンクパケット送信のために、スケジューリングする）。上記基地局は、上記複数のセルを通じて、上記無線通信システムにおける１つ以上のＵＥと通信することができる。セルは、近接サービス（ＰｒｏＳｅ）をサポートするために、サイドリンク（ＳＬ）リソースを割り当ててもよい。各セルは、他のセルとの重複カバレッジエリアを有していてもよい。
【００２３】
上述の通り、ＮＲのフレーム構造は、高信頼性、高データ速度、低レイテンシー要件を満たしつつ、例えば高速大容量（ｅＭＢＢ）、大量の端末による通信（ｍＭＴＣ）、超高信頼低遅延（ＵＲＬＬＣ）などのさまざまな次世代（例えば、５Ｇ）通信要件に対応するために、フレキシブルな構成をサポートすることを目的としている。３ＧＰＰにおいて取り決められているような直交周波数分割多重（ＯＦＤＭ）は、ＮＲ波形の基準として機能してもよい。例えばアダプティブサブキャリアスペーシング、チャネルバンド幅、およびサイクリックプレフィックス（ＣＰ）などのスケーラブルＯＦＤＭ数秘学もまた使用してもよい。さらに、ＮＲには、２つの符号化体系、すなわち（１）低密度パリティ検査（ＬＤＰＣ）、および（２）ポーラ符号が考えられる。符号化体系アダプテーションは、チャネル条件および／またはサービスアプリケーションに基づいて構成されてもよい。
【００２４】
さらに、１つのＮＲフレームの伝送時間間隔ＴＸには、ダウンリンク（ＤＬ）送信データ、ガード期間、およびアップリンク（ＵＬ）送信データを少なくとも含めるべきであり、該ＤＬ送信データ、該ガード期間、および該ＵＬ送信データそれぞれの部分もまた、例えば、ＮＲのネットワークの動態に基づいて、構成可能であるべきであるということも考えられる。加えて、サイドリンクリソースもまた、ProSeサービスを支持するようなフレームにおいて提供され得る。
【００２５】
図１を参照に、図１に、本願の例示的な実装に係る無線通信システムの概要図を例示する。図１において、無線ネットワーク１００は、ＵＥ１０２ａ、ＵＥ１０２ｂ、ＵＥ１０２ｃ、基地局１０４ａ、基地局１０４ｂ、基地局１０４ｃ、基地局１０４ｄ、および基地局１０４ｅを含む。本例示的な実装において、基地局１０４ａ、１０４ｂ、１０４ｃ、１０４ｄ、および１０４ｅは、セル１、２、３、４、および５においてそれぞれ位置している。無線ネットワーク１００において、セル１、２、および３は、その他のＳＩエリア（ＯＳＡ）１の内にあり、一方セル４および５はＯＳＡ２の内にある。
【００２６】
ＯＳＡ１において、セル１、セル２、およびセル３は、ミニマムＳＩ−ａ、ミニマムＳＩ−ｂ、およびミニマムＳＩ−ｃをそれぞれ提供し、そこではミニマムＳＩ−ａ、ミニマムＳＩ−ｂ、およびミニマムＳＩ−ｃの当該コンテンツは互いに異なっている。ＯＳＡ１において、セル１、セル２、およびセル３は、同一のその他のＳＩコンテンツ（例えばその他のＳＩ−ａ）を共有する。例えば、セル１、２、および３は、それら各々のセルにおいて各ＵＥへその他のＳＩ−ａを、それぞれ、基地局１０４ａ、１０４ｂ、および１０４ｃを通じて提供することができる。一実装において、その他のＳＩ−ａは、１つ以上のその他のＳＩブロックを含む。一実装において、セル１、２、および３は、それらのカバレッジエリアにおいて各ＵＥへ同一のその他のＳＩブロックを完全にまたは少なくとも部分的に提供し得る。別の実装において、セル１、２、および３は、それらのカバレッジエリアにおいて各ＵＥへ少なくとも１つの共通のその他のＳＩブロックを提供し得る。
【００２７】
特筆すべきことに、一実装において、各ＯＳＡは互いにオーバラップし得るため、あるセルは１つより多くのＯＳＡへ属し得る。そのように、あるセルは、異なるＯＳＡに基づいて異なるその他のＳＩブロックを提供し得る。例えば、ＵＥは、前記ＵＥによるＯＳＡ定義に基づいて特定のＯＳＡに対する１つ以上のその他のＳＩブロックを要求してもよい。基地局は、前記ＵＥのＯＳＡ定義に基づいて、前記ＵＥへ前記要求された特定のＯＳＡのその他のＳＩブロックを送信し得る。一実装において、セル１、２、および３のいずれかは、（例えばＯＳＡ１および（明示的に示されない）ＯＳＡ３など）１つ以上のＯＳＡに属すことができ、その他のＳＩ−ａに加えて、（例えばＯＳＡ３など）別のＯＳＡにおけるその他のＳＩ−ａと異なるその他のＳＩコンテンツを有しているその他のＳＩ−ｃを提供することができる。つまり、セル１、２、および３のいずれかは、それらが属する異なるＯＳＡに対する異なるその他のＳＩコンテンツを提供し得る。
【００２８】
ＯＳＡ２において、セル４およびセル５は、ミニマムＳＩ−ｄおよびミニマムＳＩ−ｅを提供し、そこではミニマムＳＩ−ｄおよびミニマムＳＩ−ｅのコンテンツは互いに異なっている。ＯＳＡ２において、セル４およびセル５は、（例えばその他のＳＩ−ｂなど）同一のその他のＳＩコンテンツを共有する。例えば、セル４および５は、基地局１０４ｄおよび１０４ｅを通じて、それぞれ、それらの各々のセルにおいて各ＵＥへその他のＳＩ−ｂを提供し得る。本実装において、セル４および５はＯＳＡ２に属し、それはＯＳＡ１と異なるため、セル４および５のその他のＳＩ−ｂは、セル１から３のその他のＳＩ−ａと異なっている。
【００２９】
本例示的な実装において、ＵＥ１０２ａは、セル１の当該カバレッジエリアから、セル２のカバレッジエリアへと移動する。セル１から５は各々自身のミニマムＳＩを提供するため、ＵＥ１０２ａがセル１からセル２へ移動するとき、ＵＥ１０２ａは、例えばセル２にキャンプするため、セル２のミニマムＳＩ−ｂを取得することが要求される。例えば、基地局１０４ｂは、セル２の前記カバレッジエリア内へと各ＵＥへある周期でセル２のミニマムＳＩ−ｂをブロードキャストし得る。セル２のミニマムＳＩ−ｂの受信の後、ＵＥ１０２ａは、セル２からその他のＳＩをさらに取得することが要求されるか否かを決定し得る。例えば、セル１からセル２への移動の後、ＵＥ１０２ａは、各セルの全て（例えば、セル１、２、および３）が同一のその他のＳＩコンテンツ（例えば、１つ以上のその他のＳＩ−ａブロックを有しているその他のＳＩ−ａ）を共有する、ＯＳＡ１の中に未だ存在するか否かを決定し得る。もしＵＥ１０２ａが、セル１からセル２へ移動したとき、未だＯＳＡ１の中にあると決定すれば、ＵＥ１０２ａは、それらの中に格納されるその他のＳＩ−ａが未だ有効であるため、セル２からその他のＳＩを取得するようには要求されない。
【００３０】
本実装において、セル１およびセル２の両方がＯＳＡ１へ属するため、それらは同一のその他のＳＩコンテンツ（例えばその他のＳＩ−ａ）を共有する。このように、ＵＥ１０２ａは、セル２からその他のＳＩを取得するようには要求されない。つまり、ＵＥ１０２ａは、それがセル１からセル２へ移動した後、セル１から入手されるその他のＳＩ−ａを適用することができる。一実装において、ＵＥ１０２ａは、セル１のＯＳＡＩＤとセル２のＯＳＡＩＤとを比較することが出来、そこでは、それが同一のＯＳＡ中にあるか否かを決定するように、前記セル１のＯＳＡＩＤはＵＥ１０２ａにおいて格納される。一実装において、前記セル２のＯＳＡＩＤは、ミニマムＳＩ−ｂにおいて追加され、これはセル２によってＵＥ１０２ａへ提供される。
【００３１】
別の実装において、セル１およびセル２は、ＯＳＡ１およびＯＳＡ３（図１において明示的には示されない）の両方へ属し得る。ＵＥ１０２ａは、ＯＳＡ１のその他のＳＩ−ａに代えて、その他のＳＩ−ｃをセル１からその中に格納させ得る。セル１からセル２へ移動するときのセル２上のキャンピングの後、ＵＥ１０２ａは、セル２がＯＳＡ３の中に未だ存在するか否かを決定し得る。もしＵＥ１０２ａが、セル１からセル２へ移動するときそれがＯＳＡ３の中に未だ存在すると決定する場合、ＵＥ１０２ａは、その中に格納されるその他のＳＩ−ｃが未だ有効であるため、セル２からその他のＳＩを取得するようには要求されない。
【００３２】
別の実装において、ＵＥ１０２ａにセル２からその他のＳＩの当該コンテンツを取得することが必要か否かを決定させることに代えて、セル２はＵＥ１０２ａからのＯＳＡＩＤをそのＯＳＡＩＤと比較し、ＵＥ１０２ａがセル２からその他のＳＩ（例えばその他のＳＩ−ａ）を取得することが必要か否かを決定してもよい。ＵＥ１０２ａは、その格納されるＯＳＡＩＤをセル２へ報告してもよい。セル２は、ＵＥ１０２ａからの前記ＯＳＡＩＤをセル２の前記ＯＳＡＩＤと比較し得る。セル２は、セル２が、ＵＥ１０２ａによって提供される前記ＯＳＡＩＤはセル２の前記ＯＳＡＩＤとは異なると決定する場合、その他のＳＩコンテンツ（例えばその他のＳＩ−ａ）をＵＥ１０２ａへ提供してもよい。そうでなければ、ＵＥ１０２ａにおいて格納される（例えばその他のＳＩ−ａなど）その他のＳＩが未だ有効であるため、セル２は、その他のＳＩコンテンツ（例えばその他のＳＩ−ａなど）をＵＥ１０２ａへ提供することを必要としない。
【００３３】
本例示的な実装において、ＵＥ１０２ｂは、セル３の当該カバレッジエリアからセル４のカバレッジエリアへと移動する。セル１から５が各々自身のミニマムＳＩを提供するため、ＵＥ１０２ｂがセル３からセル４へ移動する場合、ＵＥ１０２ｂは、例えばセル４上にキャンプするため、セル４のミニマムＳＩ−ｄを取得することを要求される。例えば、基地局１０４ｄは、セル４の当該カバレッジエリア内で各ＵＥへある周期でセル４のミニマムＳＩ−ｄをブロードキャストし得る。セル４のミニマムＳＩ−ｄの受信の後、ＵＥ１０２ｂは、セル４からその他のＳＩ（例えば、その他のＳＩ−ｂ）をさらに取得することを要求されるか否かを決定し得る。例えば、セル３からセル４への移動の後、ＵＥ１０２ｂは、ＯＳＡ１の中に未だそれが存在するか否かを決定し得、その中では各セルの全て（例えば、セル１、２、および３）は同一のその他のＳＩコンテンツ（例えばその他のＳＩ−ａ）を共有する。もしＵＥ１０２ｂが、セル３からセル４へ移動するときに未だＯＳＡ１の中にあると決定する場合、ＵＥ１０２ｂはセル４からその他のＳＩを取得することを要求されない。そうでなければ、ＵＥ１０２ｂは、その中に格納されるその他のＳＩがもはや有効ではないため、セル４からその他のＳＩを取得することを必要とする。
【００３４】
本実装において、セル３はＯＳＡ１へ属し、一方セル４はＯＳＡ２へ属する。セル３およびセル４が異なるＯＳＡへ属するため、セル３のその他のＳＩ−ａおよびセル４のその他のＳＩ−ｂは、異なるコンテンツを有する。このように、ＵＥ１０２ａがＯＳＡ１におけるセル３からＯＳＡ２におけるセル４へ移動するときセル３のその他のＳＩ−ａがもはや有効ではないため、ＵＥ１０２ｂはセル４から（例えばその他のＳＩ−ｂなど）その他のＳＩを取得するように要求される。ＵＥ１０２ｂは、その中のその他のＳＩ−ａを廃棄すること、および、セル４の（例えばその他のＳＩ−ｂなど）新しいその他のＳＩコンテンツを取得することを必要とし得る。１実装において、ＵＥ１０２ｂは、セル４のＯＳＡＩＤをセル３のＯＳＡＩＤと比較することができ、そこでは前記セル３のＯＳＡＩＤは、ＵＥ１０２ｂにおいて、それが同一のＯＳＡ内に未だ存在するか否かを決定するように格納される。一実装において、前記セル４のＯＳＡＩＤは、ミニマムＳＩ−ｄにおいて追加されることができ、これはセル４によってＵＥ１０２ｂへ提供される。
【００３５】
本実装において、セル３のＯＳＡＩＤがセル４のＯＳＡＩＤと異なるため、セル３および４が異なるＯＳＡに存在する場合、ＵＥ１０２ｂは、前記格納されるＯＳＡＩＤへ対応するその他のＳＩが有効であるセルの中にもはや無いかを決定する。そのように、ＵＥ１０２ｂは、セル４から（例えばその他のＳＩ−ｂなど）その他のＳＩを取得するようなセルへのリクエストを発信する。例えば、ＵＥ１０２ｂが、前記セル４からのＯＳＡＩＤはその格納されるＯＳＡＩＤと異なることを識別する場合、ＵＥ１０２ｂは、その他のＳＩ−ｂをリクエストするようにセル４へラジオリソースコントロール（ＲＲＣ）メッセージまたは特定のプリアンブルを発信し得る。
【００３６】
別の実装において、ＵＥ１０２ｂにセル４からその他のＳＩのコンテンツを取得させることが必要であるか否かを決定させることに代えて、セル４は、ＵＥ１０２ｂからのＯＳＡＩＤをそのＯＳＡＩＤと比較し、ＵＥ１０２ｂがセル４からのその他のＳＩ−ｂを取得することが必要であるか否かを決定してもよい。ＵＥ１０２ｂは、その格納されるＯＳＡＩＤをセル４へ提供し得る。セル４は、ＵＥ１０２ｂからの前記ＯＳＡＩＤがセル４からの前記ＯＳＡＩＤと同一であるか否かを識別し得る。セル４が、ＵＥ１０２ｂによって提供される前記ＯＳＡＩＤがセル４の前記ＯＳＡＩＤと異なると決定する場合、セル４は、その（例えばその他のＳＩ−ｂなど）その他のＳＩコンテンツをＵＥ１０２ｂへ提供し得る。そうでなければ、ＵＥ１０２ｂにおいて格納されるその他のＳＩは未だ有効であるので、セル４は、その（例えばＳＩ−ｂなど）その他のＳＩコンテンツをＵＥ１０２ｂへ提供する必要が無い。
【００３７】
本例示的な実装において、ＵＥ１０２ｃは、セル５の当該カバレッジエリア内へと移動する。セル５の中にある間、ＵＥ１０２ｃは、ミニマムＳＩ−ｅおよび／またはその他のＳＩ−ｂの更新を受信し得る。セル５がそのミニマムＳＩ（例えばミニマムＳＩ−ｅ）をそのカバレッジエリアにおいて各ＵＥへ提供するため、ＵＥ１０２ｃは、例えば基地局１０４ｅを通じて、ミニマムＳＩ−ｅおよび／またはミニマムＳＩ−ｅの任意の更新をセル５からある周期で受信し得る。セル５からのミニマムＳＩ−ｅの受信の後、ＵＥ１０２ｃは、セル５からその他のＳＩ−ｂの更新されるバージョンを取得することが必要であるか否かを決定するようにミニマムＳＩ−ｅにおいて付加されるＯＳＡＩＤにおけるその他のＳＩのバリュータグ(Value Tag)をモニタし得る。もし、セル５からのバリュータグがＵ１０２ｃに格納されるバリュータグと異なる場合、ＵＥ１０２ｃは、ＵＥ１０２ｃが未だＯＳＡ２およびセル５のカバレッジエリア内に存在するにも関わらず、更新されるその他のＳＩをセル５から取得することを必要とする。一実装において、ＵＥ１０２ｃは、セル５からその他のＳＩ−ｂの全体を要求し得る。別の実装において、ＵＥ１０２ｃは、ネットワークリソースを節約し、レイテンシを減少させるため、セル５から（例えばデルタ情報など）更新されるその他のＳＩパラメータのみをリクエストしてもよい。別の実装において、ＵＥ１０２ｃは、それ自身の情報のいずれかを指示することなしにセル５からその他のＳＩ−ｂを要求し得、セル５は、ＵＥ１０２ｃへその他のＳＩ−ｂの全体を送信するように決定し得る。
【００３８】
別の実装において、ＵＥ１０２ｃに、セル５からその他のＳＩの更新されるコンテンツを取得することを必要とするか否かを決定させることに代えて、セル５は、ＵＥ１０２ｃからのバリュータグを現行のバリュータグと比較し、ＵＥ１０２ｃがその他のＳＩ−ｂの更新されるコンテンツを取得するよことを必要とするか否かを決定し得る。ＵＥ１０２ｃは、前記格納されるバリュータグを有している格納されるＯＳＡＩＤを、セル５へ報告してもよい。セル５は、前記格納されるＵＥ１０２ｃからのバリュータグをセル５の現行のバリュータグと比較し得る。セル５は、セル５がＵＥ１０２ｃからの格納されるバリュータグはセル５の現行のバリュータグと異なると決定する場合、前記更新されるその他のＳＩコンテンツをＵＥ１０２ｃへ提供し得る。
【００３９】
一実装において、その他のＳＩ−ｂは、１つ以上のその他のＳＩブロックを含む。一実装において、セル４および５は、自身のカバレッジエリアにおいて各ＵＥへ同一のその他のＳＩブロックを全体的にまたは少なくとも部分的に提供し得る。別の実装において、セル４および５は、自身のカバレッジエリアにおいて各ＵＥへ少なくとも１つの共通のその他のＳＩブロックを提供し得る。
【００４０】
本出願の実装に係り、当該ミニマムシステム情報は、下記の各フィールド（（１）（例えば、アクセス管理制御情報、ランダムアクセスコンフィギュレーション、ビームパラメータ、フレームタイミング情報など）初期アクセスを容易にするための情報、（２）その他のＳＩの信頼性(validity)を容易にするための情報、（３）ＰＬＭＮＩＤ、トラッキングエリアＩＤ、セルＩＤを含むセル識別子）の少なくとも１つを含むことができ、しかしそれに限定されない。本願の実装に係り、他のシステム情報であって前記ミニマムシステムに含まれないシステム情報が、送信され得る。前記他のシステム情報は、下記の各フィールド（（１）（赤外周波数、イントラ周波数、周波数間(inter-frequency)ＲＡＴ情報をさらに備える）セル再選択のための情報、（２）マルチメディアブロードキャスト／マルチメディアサービス（ＭＢＭＳ）サービスに関する情報、（３）ＧＰＳ時間および調整世界時（ＵＴＣ）に関する情報、（４）ＮＲとＷｉ−Ｆｉ（登録商標）との間のトラフィックステアリングに関する情報、（５）デバイストゥデバイス（Ｄ２Ｄ）サービスに関する情報、（６）Ｖ２Ｘサービスに関する情報）の少なくとも１つを含むことができ、しかしそれに限定されない。
【００４１】
特筆すべきことに、ＯＳＡＩＤの詳細は下記に説明されるであろう。また、ＵＥ１０２ａ／１０２ｂ／１０２ｃにその他のＳＩを取得することが要求されるか否かを決定させる当該メカニズムが、下記に詳細に説明される。
【００４２】
図２Ａに、本願の例示的な実装に係るＯＳＡＩＤフォーマットを例示する。図２Ａにおいて、ＯＳＡＩＤ２００Ａは、８つのビット（例えば、ビット０、１、２、３、４、５、６、７）を有しているビットマップである。ＯＳＡＩＤ２００Ａの第１の３つのビット（例えばビット０、１、および２）は、エリアＩＤまたはエリアコード（例えば０〜８）を表現(represent)し、ここで、前記エリアＩＤが、どのＯＳＡに在圏しているかを１つ以上のＵＥへ通知する。前記エリアＩＤは、それらがその他のＳＩを取得するかまたは入手するように要求されるか否かを決定するように、前記各ＵＥを補助する。特筆すべきことに、前記各ＯＳＡが、前記ＵＥが１つのセルから別のセルへと移動するとき、同一のエリアＩＤの再使用がＵＥへ混同を引き起こさせないように互いに離れている場合、エリアＩＤは、１つ以上のＯＳＡを識別するように再使用され得ることである。例えば、エリアＩＤは、あるセルの直ちに隣接する近傍のセル、およびそれらの直ちに隣接する近傍のセルによって再使用されなくてもよい。
【００４３】
ＯＳＡＩＤ２００Ａの残るビット（例えばその３、４、５、６、および７）は、その他のＳＩ（バリュータグ）のバリュータグを表現し、そこでは前記バリュータグは、前記セルによって提供される前記他の特定のバージョンを前記ＵＥへ通知する。前記バリュータグは、３ＧＰＰＴＳ３６．３３１において定義されるシステム情報バリュータグへ類似していてもよく、これはその完全性において参照によって本願に編入される。前記バリュータグは、前記ＵＥが、未だ同一のエリアＩＤを有している同一のＯＳＡ内に未だ存在し得るとしても、前記その他のＳＩパラメータまたは値を更新するように要求されるか否か、を決定することを補助する。一実装において、前記エリアＩＤおよびバリュータグを有しているＯＳＡＩＤ２００Ａは、情報フィールドとして参照され得る。特筆すべきことに、あるセルはそのカバレッジエリア内で複数のその他のＳＩを送信してもよく、そこでは異なるその他のＳＩは異なるＯＳＡＩＤへ対応し得る。例えば図１において、セル１は、ＯＳＡ１へ対応しているその他のＳＩ−ａ、およびＯＳＡ−３へ対応しているその他のＳＩ−ｃを提供し得る。
【００４４】
一実装において、セルは、ＯＳＡＩＤ２００Ａ（つまり情報フィールド）を前記ミニマムＳＩにおいて付加することができ、これは、そのカバレッジエリア内において前記ＵＥへ前記セルによってある周期でブロードキャストされ得る。
【００４５】
ＵＥ（例えば図１におけるＵＥ１０２ａ／１０２ｂ／１０２ｃ）が前記ＯＳＡＩＤを受信する場合、前記エリアＩＤおよびバリュータグは、前記ＵＥにとって既知となるであろう。その後は、表１において列挙されるように、前記ＵＥは、異なる状況に応じて異なるアクションを行い得る。
【００４６】
【表１】
2019532602.tif 000003
表１において示されるように、状況１の下で、ＵＥは、前記ＵＥにおいて格納されるそれらのような同一のエリアＩＤおよび同一のバリュータグを有しているＯＳＡＩＤを受信する。前記エリアＩＤが前記ＵＥにおいて格納されるエリアＩＤと同一であるため、前記ＵＥは、同一のＯＳＡ内に未だ存在すると決定する。前記値バリュータグが前記ＵＥにおいて格納されるバリュータグと同一であるため、前記ＵＥは、その他のＳＩの前記格納されるバージョンが未だ有効であると決定する。このように、その他のＳＩを取得する必要が無い。
【００４７】
状況２の下で、ＵＥは、同一のエリアＩＤを有しているが前記ＵＥにおいて格納されるバリュータグと異なるバリュータグを有しているＯＳＡＩＤを受信する。前記エリアＩＤが前期ＵＥにおいて格納されるエリアＩＤと同一であるため、前記ＵＥは、同一のＯＳＡ内に未だ存在すると決定する。しかしながら、前記バリュータグが前期ＵＥにおいて格納されるバリュータグと異なるため、前記ＵＥは、その他のＳＩの前記格納されるバージョンの少なくとも一部分がもはや有効ではないと決定する。このように、前記ＵＥは、前記セルから前記その他のＳＩの新しい／更新されるバージョンをリクエストすることが必要である。一実装において、前記ＵＥが、前記セルからの前記ＯＳＡＩＤにおける前記バリュータグが前期ＵＥの格納されるバリュータグと異なり、一方で前記エリアＩＤは同一であると識別する場合、前記ＵＥは前記セルへその格納されるバリュータグを発信する。前記ＵＥから前記バリュータグを受信する場合、前記セルは、前記ＵＥへ前記その他のＳＩの新しい／更新されるバージョンの全てに代えて、ネットワークリソースを節約しレイテンシを減少させるため、前記ＵＥへ前記その他のＳＩの更新されるパラメータおよび値（例えばデルタ情報）のみを提供し得る。別の実装において、前記セルは、前記ＵＥへ前記その他のＳＩの新しい／更新されるバージョンの全てを提供してもよい。
【００４８】
状況３の下で、ＵＥは、異なるエリアＩＤを有しており、しかし前記ＵＥにおいて格納されるそれと同一のバリュータグを優位しているＯＳＡＩＤを受信する。前記セルからの前記ＯＳＡＩＤにおける前記エリアＩＤが前期ＵＥにおいて格納されるエリアＩＤと異なるため、前記ＵＥは、前記格納されるエリアＩＤを有している前記ＯＳＡ内にはもはや存在しないと決定する。この状況において、前記バリュータグが前期ＵＥの格納されるバリュータグと同一であるか否かに関わらず、前記ＵＥが新しいＯＳＡへ移動したため、前記格納されるその他のＳＩは、もはや有効ではない。このように、前記ＵＥは、前記新しいＯＳＡにおいて前記セルから新しいその他のＳＩを全て要求することを必要とする。一実装において、前記ＵＥは、いかなるバリュータグ情報をも付加することなしにその他のＳＩのリクエストを発信することができ、その後前記セルは、自動的にその他のＳＩの全てを提供することができる。
【００４９】
状況４の下で、ＵＥは、前記ＵＥにおいて格納されるそれと異なるエリアＩＤおよびバリュータグを有しているＯＳＡＩＤを受信する。前記セルからの前記ＯＳＡＩＤにおける前記エリアＩＤが前期ＵＥにおいて格納されるエリアＩＤと異なるため、前記ＵＥは、前記格納されるエリアＩＤを有しているＯＳＡ内にはもはや存在しないと決定する。状況３と同様に、前記バリュータグが前記格納されるバリュータグと同一か否かに関わらず、前記各野されるその他のＳＩは、前記ＵＥが新しいＯＳＡへ移動したためもはや有効ではない。このように、前記ＵＥは、前記新しいＯＳＡにおいて前記セルから新しいその他のＳＩの全てを要求することを必要とする。一実装において、前記ＵＥは、いかなるバリュータグ情報をも付加することなしにその他のＳＩへのリクエストを発信してもよく、前記セルは、自動的にその他のＳＩの全てを提供してもよい。
【００５０】
一実装において、前記ＵＥは、前記その他のＳＩを取得するように前記セルへ、特定のプリアンブルの形態で、リクエストを発信し得る。別の実装において、前記ＵＥは、前記その他のＳＩを取得するようにＲＲＣメッセージの形態で、前記リクエストを発信し得る。特筆すべきことに、各その他のＳＩは、それ専用の特定のプリアンブルを有してもよく、複数の特定のプリアンブルは、前記ＵＥへ割り当てられてもよい。前記ＵＥは、前記ＵＥが前期対応するその他のＳＩをリクエストする必要がある場合、前記割り当てられる特定のプリアンブルの１つを発信し得る。前記リクエストメッセージとしてＲＲＣメッセージを使用するため、前記ＵＥは、どのその他のＳＩが要求され、任意に前記その他のＳＩの前記格納されるタグを付加するかを、さらに示し得る。
【００５１】
特筆すべきことに、いくつかの実装において、ミニマムＳＩはそれ自身のバリュータグを有してもよく、これは前記ミニマムＳＩにおいても付加され得る。
【００５２】
図２Ｂに、本願の別の例示的な実装に係るＯＳＡＩＤフォーマットを例示する。図２Ｂにおいて、ＯＳＡＩＤ２００Ｂは、３つのビット（例えば、ビット０、１、および２）を有しているビットマップである。ビット０、１、および２は、エリアコードまたはエリアＩＤ（例えば０〜８）を表現し、そこでは前記エリアＩＤは、どのＯＳＡにそれらがあるかを１つ以上のＵＥへ通知する。一実装において、前記エリアＩＤを有しているＯＳＡＩＤ２００Ｂは、情報フィールドとして参照される。一実装において、セルはミニマムＳＩにおいてＯＳＡＩＤ２００Ｂ（つまり情報フィールド）を付加し得、これはそのカバレッジエリアにおいて前記各ＵＥへ前記セルによって有る周期でブロードキャストされ得る。ＵＥ（例えば図１におけるＵＥ１０２ａ／１０２ｂ／１０２ｃ）が前記ＯＳＡＩＤを受信する場合、前記セルの前記エリアＩＤは、前記ＵＥへ既知になるであろう。前記エリアＩＤは、前記各ＵＥが前記セルからその他のＳＩを取得または入手することを要求されるか否かを決定できるように、どのＯＳＡにそれらが存在するかを１つ以上のＵＥへ通知する。図２ＡにおけるＯＳＡＩＤ２００Ａと対照に、ＯＳＡＩＤ２００Ｂは、前記ＯＳＡＩＤにおけるその他のＳＩのバリュータグを含まない。代わりに、前記バリュータグは、前記ＵＥからの要求(demand)またはリクエストに応じて、前記ＵＥへ発信され得る。例えば、前記ＵＥからのリクエストの受信の後前記ＵＥへ当該対応するバリュータグを付加することにより、その他のＳＩをセルは提供し得る。
【００５３】
一実装において、その他のＳＩのバリュータグはセルによって、例えばＲＲＣメッセージを通じて、提供され得る。例えば、ＵＥ（例えばＲＲＣアクティブＵＥ）は、セル１からセル２へ移動する。セル２は、前記ＵＥがセル２のその他のＳＩを取得することが必要かを確認するように、前記ＵＥのバリュータグをチェックし得る。セル１およびセル２が同一のＯＳＡに存在するか否かに関わらず、前記ＵＥがセル２のカバレッジへ移動しセル２とＲＲＣ接続を確立した場合、セル２（例えばサービング(serving)セル）は、セル１（例えばソースセル）と、前記ＵＥのためのバリュータグ情報をネゴシエートし得る。別の実装において、ＵＥは前記セルへの格納されるバリュータグを示し得る。
【００５４】
一実装において、ＵＥ（例えばＲＲＣアクティブ、非アクティブもしくはアイドルなＵＥ）は、セル１からセル２へ移動する。前記ＵＥがセル２の前記エリアＩＤはその格納されるエリアＩＤと異なると識別する場合、前記ＵＥは、その他のＳＩをリクエストするような特定のプリアンブルを送信し得る。前記特定のプリアンブルを受信した後、前記セルは、専用のリソースにおいて前記ＵＥへその他のＳＩを提供する。前記ＵＥが前記エリアＩＤはその格納されるエリアＩＤと等しいと識別する場合、専用の１つ以上のリソース上で前記その他のＳＩのバリュータグをスヌープ(snoop)し得る。もしバリュータグがその格納されるバリュータグと異なることになる場合、前記ＵＥは、前記他のＳＩをリクエストするような特定のプリアンブルを送信し得る。
【００５５】
図３は、本願の例示的な実装に係る、その他のＳＩ取得のためＵＥによって実行される方法を例示するフローチャート図である。図３において、フローチャート３００は、アクション３８０、３８２、３８４、３８６、３８８、３９０、３９２、および３９４を含む。フローチャート３００は、図１を参照に記載されるＵＥ１０２ａ、１０２ｂ、および１０２ｃの任意のいずれかへ適用される。
【００５６】
アクション３８０において、ＵＥは、セルからミニマムＳＩを受信し、そこでは前記ミニマムＳＩはＯＳＡＩＤ（例えば図２Ａ／２ＢにおけるＯＳＡＩＤ２００Ａ／２００Ｂ）を含む。前記ＯＳＡＩＤ（つまり情報フィールド）は、少なくとも１つのエリアＩＤを含む。アクション３８２において、前記ＵＥは、前記エリアＩＤが前記ＵＥにおけるエリアＩＤ（例えば格納されるエリアＩＤ）と異なるか否かを決定する。
【００５７】
もし前記ＵＥが前記セルから前記ミニマムＳＩにおいて付加される前記エリアＩＤは前記格納されるエリアＩＤと異なると決定した場合、フローチャート３００はアクション３８４へと進み、そこでは前記ＵＥは前記セルからその他のＳＩをリクエストする。前記ＵＥのリクエストに応じて、前記セルは、前記ＵＥへ前記その他のＳＩを送信する。つまり、前記ＵＥはアクション３８６において、前記セルから前記その他のＳＩを受信する。
【００５８】
一方で、もし前記ＵＥが前記セルから前記ミニマムＳＩにおいて付加される前記エリアＩＤがアクション３８２において前記格納されるエリアＩＤと同一であると決定した場合、フローチャート３００はアクション３８８へと進み、そこでは前記ＵＥは、その他のＳＩのバリュータグ（バリュータグ）が、例えば前記ミニマムＳＩにおいて付加されるＯＳＡＩＤにおいて、前記ＵＥに格納されるバリュータグ（例えば格納されるバリュータグ）と異なるか否かを決定する。
【００５９】
もし前記ＵＥが前記セルからの前記バリュータグは前記格納されるバリュータグと異なると決定した場合、フローチャート３００はアクション３９０へ進み、そこでは前記ＵＥは前記セルから前記その他のＳＩの更新されるパラメータをリクエストする。前記ＵＥからのリクエストに応じて、前記セルは、前記ＵＥ前記その他のＳＩの前記更新されるパラメータを送信する。つまり、前記ＵＲは、アクション３９２において前記セルから前記その他のＳＩの前記更新されるパラメータを受信する。
【００６０】
一方、もし前記ＵＥが前記セルからの前記バリュータグはアクション３８８における前記格納されるバリュータグと同一であると決定した場合、フローチャート３００はアクション３９４へ進み、そこでは前記ＵＥは、前記ＵＥにおいて格納される前記ＳＩが未だ有効であるため、前記セルからその他のＳＩをリクエストする必要が無いと決定する。
【００６１】
その他のＳＩ取得シグナリングのための様々なメカニズムは、下記に記載される。その他ＳＩ取得シグナリングのためのメカニズムは、ＵＥ指向のシグナリングとセル指向のシグナリングとに分類される。
【００６２】
ＵＥ指向のシグナリングを通じたその他のＳＩ取得のため、ＵＥは、その他のＳＩをリクエストするようにセルへオンデマンドシグナリングを発信する。その後、前記セルは、前記ＵＥへ前記その他のＳＩを送信または発信し得る。図４は、本願の各実装に係る、ＵＥ指向のシグナリングを通じたその他のＳＩ取得のためのメカニズムを例示している図である。
【００６３】
図４において、ダイアグラム４００は、各アクション４０２、４６４、４６６、４６８、４７０、４７２、４７４、４７６、および４７８を含む。ダイアグラム４００において、アクション４６２、４６４、４６６、および付加的には４６８に、本願の例示的な実装に係るオンデマンドシグナリングメカニズムであって、あるセルからその他のＳＩをリクエストするような特定のプリアンブルをＵＥが送信し得るメカニズムを記載する。ダイアグラム４００において、アクション４７０、４７２、４７４、４７６、および４７８に、本願の例示的な実装に係るオンデマンドシグナリングメカニズムであって、あるセルからその他のＳＩをリクエストするようなＲＲＣメッセージをＵＥが送信し得るメカニズムを記載する。
【００６４】
特定のプリアンブルを用いるＵＥ指向のオンデマンドシグナリングを通じたその他のＳＩ取得を容易にするように、セルは、ＵＥおよび、その格納されるその他のＳＩのバリュータグを識別することが必要である。一実装において、各ＵＥは、例えば前記セルによって、特定のプリアンブルを用いて割り当てられる。アクション４６２において、ＵＥ４０２は、ＵＥ４０２がセルＸからその他のＳＩを取得することが必要である場合、その特定のプリアンブル（例えばプリアンブル＃１）をＯＳＡ１においてセルＸへ発信し得る。セルＸがＵＥ４０２から前記特定のプリアンブルを受信する場合、セルＸは、ＵＥ４０２へ割り当てられる前記特定のプリアンブルに基づいてＵＥ４０２を認識し得る。アクション４６４において、セルＸは、ＵＥ４０２へランダムアクセスレスポンス（ＲＡＲ）を発信し得る。前記ＲＡＲの中において、セルＸは、スケジューリング機会(opportunity)（例えば、ダウンリンクリソースに関する情報等々）をＵＥ４０２へ提供し得る。特筆すべきことに、非回線争奪(non-contention)ベースのランダムアクセスが、本願のＵＥ指向オンデマンドシグナリングメカニズムにおいて適用される。アクション４６６にいて、セルＸは、前記スケジュールされる機会を用いてＵＥ４０２へその他のＳＩを発信し得る。別の実装において、共通のプリアンブルは、全てのＵＥへそれらの対応するその他のＳＩをリクエストするように割り当てられてもよい。前記セルは、前記共通のプリアンブルを受信する場合、前記その他のＳＩをブロードキャストし得る。
【００６５】
特筆すべきことに、禁止タイマは、前記禁止タイマによって設定される所定の時間内に同一のその他のＳＩをリクエストするようにセルＸへ別のオンデマンドシグナリングをＵＥ４０２が発信することを防ぐように、使用され得る。一実装において、セルＸは、オンデマンドシグナリングのための前記所定の時間を設定するような前記禁止タイマを構成(configure)し得る。図４において示されるように、アクション４６８においてＵＥ４０２は、アクション４６２における前記特定のプリアンブルの発信の後、セルＸからその他のＳＩをリクエストするようにセルＸへ特定のプリアンブルを再び発信するように試みる。前記禁止タイマは期限が切れていないため、ＵＥ４０２は、アクション４６８において示されるようにセルＸへ前記リクエストを発信することを禁止される。特筆すべきことに、異なる禁止タイマが異なるその他のＳＩへ用いられてもよく、各禁止タイマの前記開始および期限切れは互いに独立であってもよい。
【００６６】
特筆すべきことに、一実装において、セルＸは、ＵＥ４０２からの特定のプリアンブルに基づいてＵＥ４０２のその他のＳＩの格納されるバリュータグを認識し得る。セルＸがＵＥ４０２から前記特定のプリアンブルを受信する場合、セルＸは、ＵＥ４０２上に格納されるその他のＳＩのバリュータグに関わらず、ＵＥ４０２へその現行のその他のＳＩを回答し得る。
【００６７】
特筆すべきことに、一実装において、ＵＥ４０２がＯＳＡ１から出て新しいＯＳＡ（例えばＯＳＡ２）へと移動する場合、ＵＥ４０２へ割り当てられる特定のプリアンブルは、例えば、セルＸにおいて別のＵＥへ再割り当てされ得る。特定のプリアンブルの前記割り当ては、前記ミニマムＳＩを通じて実行される。
【００６８】
ＲＲＣメッセージを用いるＵＥ指向のオンデマンドシグナリングを通じたその他のＳＩの取得を容易にするように、ＵＥは、セルとのＲＲＣ接続を確立もしくは再確立するようなランダムアクセスプロシージャを実行することを必要とし得る。前記ＵＥが前記セルとＲＲＣ接続をひとたび確立すると、前記ＵＥは、前記セルからその他のＳＩをリクエストするような特定のＲＲＣメッセージを使用し得る。
【００６９】
一実装において、前記ＵＥは、更新される前記セルからのその他のＳＩパラメータおよび／または各値を受信するのみでもよい。そのような場合において、前記ＵＥは、前記セルへその格納されるその他のＳＩのバリュータグを発信する必要が有り、前記セルは、前記ＵＥからの前記格納されるバリュータグへ対応するその他のＳＩを、そのセルの現行の（最も更新された）その他のＳＩと、比較することによって、どの値および／またはパラメータが更新されたかを決定することができる。そのような場合において、前記ＵＥは、前記セルへその各野されるバリュータグを発信する前に、ネットワークへ入ることが必要であり得る。
【００７０】
図４を参照に、アクション４７０において、ＵＥ４０２は、ＯＳＡ２におけるセルＹとのＲＲＣ接続を（再）確率し、例えば、セルＹへ接続されるときセルＹへＲＲＣメッセージを発信する。アクション４７２において、セルＹは、ＵＥ４０２へプリアンブルコンフィギュレーションを発信する。その後、ＵＥ４０２は、アクション４７４においてセルＹへプリアンブル（例えばプリアンブル＃２）を発信する。アクション４７６において、セルＹは、ＵＥ４０２へＲＡＲを発信し、そこでは前記ＲＡＲはその他のＳＩのためのスケジューリング機会（例えばＤＬリソース上の情報等々）を含む。アクション４７８において、セルＹは、前記スケジュールされる機会を用いてＵＥ４０２へ前記その他のＳＩを発信する。別の実装において、セルは、前記ＵＥから前記特定のＲＲＣメッセージを受信する後に前記その他のＳＩをブロードキャストし得る。
【００７１】
特筆すべきことに、禁止タイマ（図４において明示はされない）は、ＵＥ４０２が、前記禁止タイマによって設定される所定の時間内にその他のＳＩをリクエストするようにセルＹへ別のオンデマンドシグナリングを発信することを防ぐため、使用され得る。一実装において、セルＹは、前記禁止タイマを、オンデマンドシグナリングのための前記所定の時間を設定するように構成し得る。前記禁止タイマは、ＵＥ４０２がアクション４７０においてオンデマンドシグナリングのための前記ＲＲＣメッセージを発信する場合、トリガーされる。前記禁止タイマは、前記ＵＥが、前記禁止タイマが期限切れになるまで別のオンデマンドシグナリングを発信することを防ぐ。特筆すべきことに、異なる禁止タイマが異なるその他のＳＩに対して使用されてよく、各禁止タイマの前記開始および期限切れは互いに独立であってもよい。
【００７２】
特筆すべきことに、一実装において、セルＹは、ＵＥ４０２からの前記ＲＲＣメッセージに基づいてＵＥ４０２のその他のＳＩの前記格納されるバリュータグを認識し得る。セルＹがＵＥ４０２から前記ＲＲＣメッセージを受信する場合、セルＹは、ＵＥ４０２において格納されるその他のＳＩの前記バリュータグに関わらず、ＵＥ４０２へその現行のその他のＳＩを回答し得る。
【００７３】
セル指向のシグナリングを通じたその他のＳＩの取得のため、セルは、ＵＥからオンデマンドシグナリングを受信することなしに、その他のＳＩを提供してもよい。セル指向のシグナリングを通じたその他のＳＩの取得のため、一実装において、セルは、その他のＳＩのバージョンが変化する場合、その接続されるＵＥの全てへ新規その他のＳＩを送信し得る。前記セルは、その接続されるＵＥの全てへ前記新規その他のＳＩの全体を送信してもよく、またはデルタ情報（例えば更新されるその他のＳＩパラメータおよび／または値）を前記接続されるＵＥへ送信するのみでもよい。前記セルは、特定のグループのラジオネットワークテンポラリ識別子（ＲＮＴＩ）を、使用し、各ＵＥのグループへその他のＳＩの送信をスケジュールすることができる。前記グループＲＮＴＩは、前記ＵＥがＲＲＣ接続確率を実行する場合、識別子を提供しえるように構成可能であり得る。
【００７４】
セル指向のシグナリングを通じたその他のＳＩ取得のため、別の実装において、セルには、ＵＥが当該セルとのＲＲＣ接続を確立または再確立する場合、セル指向のシグナリングが適用され得る。前記セルは、ＲＲＣ構成メッセージを用いることによるその他のＳＩシグナリングを初期化し得る。
【００７５】
セル指向のシグナリング通じたその他のＳＩの取得のため、別の実装において、セルには、前記セルがＵＥケーパビリティにおける変化に関する情報を受信する場合、セル指向のシグナリングが適用され得る。ＵＥケーパビリティにおける変化の例は、好ましいネットワークスライシングにおける変化、好ましい無線アクセス技術（ＲＡＴ）における変化、等々を含み得る。いくつかの実装において、異なるネットワークスライシングは、その他のＳＩの異なるコンテンツに適用され得る。例えば、同一のＯＳＡにおける各セルは、各々のネットワークスライシングに対する共通のその他のＳＩを有し得る。
【００７６】
図５に、本願の種々の態様に係る無線通信のノード５００のブロック図を例示する。ノード５００は、様々な構成を有し得、基地局および／またはＵＥに含まれ、またはその部分であり得る。いくつかの実装において、ノード５００は、図１に対して記載される基地局１０４ａ、１０４ｂ、１０４ｃ、１０４ｄ、および／または１０４ｅの１つ以上の態様の実例であり得る。いくつかの実装において、ノード５００は、図１においてＵＥ１０２ａ、ＵＥ１０２ｂ、および／または１０２ｃの、ならびに図４においてＵＥ４０２の、１つ以上の態様の例であり得る。ノード５００は、図１、２Ａ、２Ｂ、３、および４に対して記載される各特徴および機能の少なくともいくつかを容易にするまたは実装するように構成され得る。
【００７７】
図５において示されるように、ノード５００は、トランシーバ５２０、プロセッサ５２６、メモリ５２８、１つ以上の提示(presentation)コンポーネント５３４、および少なくとも１つのアンテナ５３６を含み得る。ノード５００はまた、ＲＦスペクトル帯モジュール、基地局通信モジュール、ネットワーク通信モジュール、およびシステム通信管理モジュール、入出力（Ｉ／Ｏ）ポート、Ｉ／Ｏコンポーネント、および電源供給（図５において明示はされない）、を含み得る。これらのコンポーネントの各々は、１つ以上のバス５４０上で、直接にまたは関節に、互いに通信状態であり得る。
【００７８】
トランスミッタ５２２およびレシーバ５２４を有しているトランシーバ５２０は、時間及び周波数資源分割情報を受信しおよび／または送受信するように、構成され得る。いくつかの実装において、トランシーバ５２０は、使用可能な、使用不可能な、および柔軟に使用可能なサブフレームおよびスロットのフォーマットを含み、しかしそれに限定されない、異なる型のサブフレームおよびスロットにおいて送信をするように構成され得る。トランシーバ５２０は、データおよび制御チャンネルを受信するように構成され得る。
【００７９】
ノード５００は、様々なコンピュータ読み込み可能な媒体を含み得る。コンピュータ読み込み可能な媒体は、ノード５００によってアクセスされ得、揮発性および不揮発性の両方の媒体、消去可能および消去不可能の両方の媒体を含む、利用可能な媒体で有り得る。例として、および非限定的に、コンピュータ読み込み可能な媒体は、コンピュータストレージ媒体および通信媒体を備え得る。コンピュータストレージ媒体は、コンピュータ読み込み可能な命令、データ構造、プログラムモジュールまたはその他のデータのような情報の格納のための任意の方法または技術において実装される、揮発性および不揮発性の両方、消去可能および消去不可能の両方の媒体を含み得る。
【００８０】
コンピュータストレージ媒体は、ＲＡＭ、ＲＯＭ、ＥＥＰＲＯＭ（登録商標）、フラッシュメモリ、または他のメモリ技術、ＣＤ−ＲＯＭ、デジタル可変ディスク（ＤＶＤ）、または他の光学ディスクストレージ、磁気カセット、磁気テープ、磁気ディスクストレージ、または他の磁気ストレージデバイスを含む。コンピュータストレージ媒体は、伝搬データ信号を含まない。通信媒体は、典型的に、コンピュータ読み込み可能な命令、データ構造、プログラムモジュールまたは搬送波または他の輸送メカニズムのような変調データ信号における他のデータで具体化し、任意の情報配信媒体を含む。「変調データ信号」という用語は、前記信号における情報をエンコードするような方法でセットされるまたは変化される１つ以上の特性を有する信号を意味する。例として、および非限定的に、通信媒体は、有線ネットワークもしくは直接結線される接続、ならびに音響、ＲＦ、赤外線、および他の無線媒体のような無線媒体、を含む。上記の任意の組合せもまた、コンピュータ読み込み可能な媒体の範囲内に含まれるべきである。
【００８１】
メモリ５２８は、揮発性および／または不揮発性の形態におけるコンピュータストレージ媒体を含み得る。メモリ５２８は、消去可能、消去不可能、またはそれらの組合せであり得る。例示的なメモリは、ソリッドステートメモリ、ハードドライブ、光学ディスクドライブ、等々を含む。図５において例示されるように、メモリ５２８は、コンピュータ読み込み可能なコンピュータ実行可能な、命令５３２（例えばソフトウェアコード）であって、実行される場合、プロセッサ５２６に本明細書中に記載される様々な、例えば図１、２Ａ、２Ｂ、３、および４に関する、機能の実行を引き起こすように構成される命令を、格納し得る。代替的に、命令５３２は、プロセッサ５２６によって直接実行可能ではなく、ノード５００に（例えばコンパイルされ実行される場合）、本明細書中に記載される様々な機能の実行を引き起こすように構成され得る。
【００８２】
プロセッサ５２６は、中央処理ユニット（ＣＰＵ）、マイクロコントローラ、ＡＳＩＣ、等々のような高度な処理能力のある(intelligent)ハードウェアデバイスを含み得る。プロセッサ５２６は、メモリを含み得る。プロセッサ５２６は、メモリ５２８からの処理データ５３０、および命令５３２、ならびにトランシーバ５２０ベースバンド通信モジュール、および／またはネットワーク通信モジュール、を通じた情報を処理することができる。プロセッサ５２６はまた、コアネットワークへの送信のためのネットワーク通信モジュールへの、アンテナ５３６を通じた送信のためトランシーバ５２０へ発信されるような情報を処理することができる。
【００８３】
１つ以上の提示コンポーネント５３４は、ある人物または他のデバイスへデータ指示(indications)を提示する。例示的な１つ以上の提示コンポーネント５３４は、表示デバイス、スピーカ、印刷コンポーネント、振動コンポーネント、等々を含む。
【図面の簡単な説明】
【００８４】
【図１】本発明の一実施形態に係る無線通信システムの概要を示す図である。
【図２Ａ】本発明の一実施形態に係るＯＳＡＩＤフォーマットを示す図である。
【図２Ｂ】本発明の他の実施形態に係るＯＳＡＩＤフォーマットを示す図である。
【図３】本発明の一実施形態に係る、ＵＥによって実行されるその他のＳＩ取得のための方法を示すフローチャート図である。
【図４】本発明の一実施形態に係る、ＵＥ指向シグナリングを介してその他のＳＩ取得を行うメカニズムを示すダイアグラムである。
【図５】本発明の種々の態様に係る、無線通信のためのノードのブロック図である。
【図１】
2019532602.tif 000004
【図２Ａ】
2019532602.tif 000005
【図２Ｂ】
2019532602.tif 000006
【図３】
2019532602.tif 000007
【図４】
2019532602.tif 000008
【図５】
2019532602.tif 000009
【国際調査報告】
2019532602.tif 000010
2019532602.tif 000011